(57)【特許請求の範囲】
【請求項１】
選択的に電力供給されて発熱する第１加熱手段または前記第１加熱手段より優先して電力供給される第２加熱手段に分類された複数の加熱手段により加熱される被加熱部材により記録媒体に転写したトナー画像を定着させる定着手段と、
前記加熱手段毎に設けられ、前記加熱手段により加熱される前記被加熱部材の温度を検出する検出手段と、
前記検出手段による温度検出結果が目標温度を下回った前記被加熱部材を加熱する前記複数の加熱手段のうち、前記第２加熱手段に分類された前記加熱手段に電力供給するとともに、前記温度検出結果と目標温度との差分の大小である第１供給条件、前記加熱手段に電力供給されていない期間の大小である第２供給条件、または前記温度検出結果に基づく電力供給時間の大小である第３供給条件に基づいて、前記第１加熱手段に分類された前記加熱手段に選択的に電力供給する供給制御手段と、を備え、
前記供給制御手段は、前記第１供給条件に基づいて前記加熱手段を選択することができない場合、前記第２供給条件に基づいて前記第１加熱手段に分類された前記加熱手段に選択的に電力供給し、前記第２供給条件に基づいて前記加熱手段を選択することができない場合、前記第３供給条件に基づいて前記第１加熱手段に分類された前記加熱手段に選択的に電力供給することを特徴とする定着装置。
【請求項２】
前記第２供給条件は、前記第１加熱手段に分類された間の前記加熱手段に電力供給されていない期間の大小であることを特徴とする請求項１に記載の定着装置。
【請求項３】
前記第１加熱手段に分類された前記加熱手段がハロゲンヒータであることを特徴とする請求項１または２に記載の定着装置。
【請求項４】
選択的に電力供給されて発熱する第１加熱手段または前記第１加熱手段より優先して電力供給される第２加熱手段に分類された複数の加熱手段により加熱される被加熱部材により記録媒体に転写したトナー画像を定着させる定着手段と、
前記加熱手段毎に設けられ、前記加熱手段により加熱される前記被加熱部材の温度を検出する検出手段と、
前記検出手段による温度検出結果が目標温度を下回った前記被加熱部材を加熱する前記複数の加熱手段のうち、前記第２加熱手段に分類された前記加熱手段に電力供給するとともに、前記温度検出結果と目標温度との差分の大小である第１供給条件、前記加熱手段に電力供給されていない期間の大小である第２供給条件、または前記温度検出結果に基づく電力供給時間の大小である第３供給条件に従って、前記第１加熱手段に分類された前記加熱手段に選択的に電力供給する供給制御手段と、を備え、
前記供給制御手段は、前記第１供給条件に従って前記加熱手段を選択することができない場合、前記第２供給条件に従って前記第１加熱手段に分類された前記加熱手段に選択的に電力供給し、前記第２供給条件に従って前記加熱手段を選択することができない場合、前記第３供給条件に従って前記第１加熱手段に分類された前記加熱手段に選択的に電力供給することを特徴とする画像形成装置。
【請求項５】
前記第２供給条件は、前記第１加熱手段に分類されている間における前記加熱手段に電力供給されていない期間の大小であることを特徴とする請求項４に記載の画像形成装置。
【請求項６】
前記供給制御手段は、前記加熱手段への電力供給により発生する電圧変動を抑制するモードに前記画像形成装置が設定されている場合に、前記第１加熱手段に分類された前記加熱手段に選択的に電力供給することを特徴とする請求項４または５に記載の画像形成装置。
【発明の詳細な説明】
【技術分野】
【０００１】
本発明は、定着装置および画像形成装置に関するものである。
【背景技術】
【０００２】
近年、電子写真プロセスを用いたプリンタ、複写機、あるいはファクシミリ装置等の画像形成装置の高速化への要求が高まっている。例えば、トナー画像が形成された紙やフィルムなどの記録媒体を、加圧および加熱するヒートローラ式の定着装置を備えた画像形成装置では、定着装置が備える加熱手段を複数設けたり、加熱手段１本当たりに供給する電力の大電力化したりすることにより、高速化への要求に対応している。
【０００３】
しかしながら、加熱手段へ供給する電力の大電力化や複数の加熱手段を設けることによる画像形成装置の高速化は、ますます多くの電力が必要とされるため、画像形成装置／定着装置における電圧変動（以下、フリッカとする）の原因となっていた。特に、オフ状態からオン状態にした時には定常時の数倍の突入電力が供給されるため、フリッカをさらに悪化させていた。また、画像形成装置では、一般的に、コピーやプリントなどが実行されている動作時および直ちにコピーやプリントなどの動作を実行可能な準備状態である待機時の２モードにおいてフリッカが規制されるが、一般オフィスなどでは、画像形成装置は「動作」しているより、「待機」している時間の方が長く、「待機」の方が厳しいフリッカ規制が必要とされている。また、フリッカは、画像形成装置と同じ電源から電力供給を受ける周辺機器への電力供給に影響を及ぼす場合もある。
【０００４】
そこで、特許文献１では、複数の加熱手段を点灯させる場合に、複数の加熱手段を同時に通電せずにずらして通電して複数の加熱手段を個別にソフトスタートさせながら点灯させ、複数の加熱手段を消灯させる場合には複数の加熱手段をずらしてソフトストップさせながら消灯するヒータ制御装置が開示されている。
【発明の概要】
【発明が解決しようとする課題】
【０００５】
しかしながら、特許文献１に記載のヒータ制御装置では、複数の加熱手段への電力供給を開始するタイミングをずらしたとしても、結果的に、複数の加熱手段が全て同じ周期で消灯と点灯のサイクルを繰り返す傾向になること、かつ、紙が定着装置の熱を奪うことがない待機時は、温度的に安定しているために加熱手段の消灯の期間が長く、そのため再点灯する際の突入電力が動作時より大きくなることから、フリッカを抑制することができない、という問題があった。また、加熱手段１本当たりに供給する電力が大容量化した装置においては、フリッカをさらに悪化させている。定着装置から紙によって熱を奪われることがない待機時などにおいては、上述したように、フリッカの抑制に対する必要性が高いため、全ての加熱手段が消灯と点灯のサイクルを繰り返す傾向によるフリッカの悪化をより効果的に抑制する必要がある。
【０００６】
本発明は、上記に鑑みてなされたものであって、フリッカを抑制することができる定着装置および画像形成装置を提供することを目的とする。
【課題を解決するための手段】
【０００７】
上述した課題を解決し、目的を達成するために、本発明は、選択的に電力供給されて発熱する第１加熱手段または前記第１加熱手段より優先して電力供給される第２加熱手段に分類された複数の加熱手段により加熱される被加熱部材により記録媒体に転写したトナー画像を定着させる定着手段と、前記加熱手段毎に設けられ、前記加熱手段により加熱される前記被加熱部材の温度を検出する検出手段と、前記検出手段による温度検出結果が目標温度を下回った前記被加熱部材を加熱する前記複数の加熱手段のうち、前記第２加熱手段に分類された前記加熱手段に電力供給するとともに、前記温度検出結果と目標温度との差分の大小である第１供給条件、前記加熱手段に電力供給されていない期間の大小である第２供給条件、または前記温度検出結果に基づく電力供給時間の大小である第３供給条件に基づいて、前記第１加熱手段に分類された前記加熱手段に選択的に電力供給する供給制御手段と、を備え、前記供給制御手段は、前記第１供給条件に基づいて前記加熱手段を選択することができない場合、前記第２供給条件に基づいて前記第１加熱手段に分類された前記加熱手段に選択的に電力供給し、前記第２供給条件に基づいて前記加熱手段を選択することができない場合、前記第３供給条件に基づいて前記第１加熱手段に分類された前記加熱手段に選択的に電力供給することを特徴とする。
【０００８】
また、本発明は、選択的に電力供給されて発熱する第１加熱手段または前記第１加熱手段より優先して電力供給される第２加熱手段に分類された複数の加熱手段により加熱される被加熱部材により記録媒体に転写したトナー画像を定着させる定着手段と、前記加熱手段毎に設けられ、前記加熱手段により加熱される前記被加熱部材の温度を検出する検出手段と、前記検出手段による温度検出結果が目標温度を下回った前記被加熱部材を加熱する前記複数の加熱手段のうち、前記第２加熱手段に分類された前記加熱手段に電力供給するとともに、前記温度検出結果と目標温度との差分の大小である第１供給条件、前記加熱手段に電力供給されていない期間の大小である第２供給条件、または前記温度検出結果に基づく電力供給時間の大小である第３供給条件に従って、前記第１加熱手段に分類された前記加熱手段に選択的に電力供給する供給制御手段と、を備え、前記供給制御手段は、前記第１供給条件に従って前記加熱手段を選択することができない場合、前記第２供給条件に従って前記第１加熱手段に分類された前記加熱手段に選択的に電力供給し、前記第２供給条件に従って前記加熱手段を選択することができない場合、前記第３供給条件に従って前記第１加熱手段に分類された前記加熱手段に選択的に電力供給することを特徴とする。
【発明の効果】
【００１０】
本発明によれば、定着装置が備える全ての加熱手段が消灯と点灯のサイクルを繰り返す傾向になることを防止できるので、フリッカを抑制することができる、という効果を奏する。
【図面の簡単な説明】
【００１１】
【図１】図１は、本実施の形態にかかる複合機の機構部の一例を示す概略構成図である。
【図２】図２は、図１に示す定着装置の構成例を示す説明図である。
【図３】図３は、定着装置を主とした制御系の構成を示すブロック図である。
【図４】図４は、加熱手段の分類を表すテーブルの一例を示す図である。
【図５】図５は、フリッカ優先モードが設定された場合の加熱手段への電力供給処理を実行する制御部の機能構成を示すブロック図である。
【図６】図６は、（３）プリントおよびコピーの待機時に下位ランクの加熱手段に電力供給する処理の一例を示す説明図である。
【図７】図７は、（３）プリントおよびコピーの待機時に下位ランクの加熱手段に電力供給する処理の手順を示すフローチャートである。
【図８】図８は、下位ランクに分類された加熱手段の中から電力供給する加熱手段を決定する処理手順を示すフローチャートである。
【図９】図９は、下位ランクに分類された加熱手段の中から電力供給する加熱手段を決定する処理手順を示すフローチャートである。
【図１０】図１０は、下位ランクに分類された加熱手段の中から電力供給する加熱手段を決定する処理手順を示すフローチャートである。
【図１１】図１１は、（５）省エネモード時に下位ランクの加熱手段に電力供給する処理の一例を示す説明図である。
【図１２】図１２は、（５）省エネモード時に下位ランクの加熱手段に電力供給する処理の手順を示すフローチャートである。
【図１３】図１３は、下位ランクに分類された加熱手段の中から電力供給する加熱手段を選択する処理手順を示すフローチャートである。
【図１４】図１４は、下位ランクに分類された加熱手段の中から電力供給する加熱手段を選択する処理手順を示すフローチャートである。
【図１５】図１５は、下位ランクに分類された加熱手段の中から電力供給する加熱手段を選択する処理手順を示すフローチャートである。
【図１６】図１６は、（３）プリンタおよびコピー待機時に加熱手段に電力供給する処理の一例を示す説明図である。
【図１７】図１７は、下位ランクに分類された加熱手段の中から電力供給する加熱手段を選択する処理手順を示すフローチャートである。
【図１８】図１８は、第２の実施の形態にかかる定着装置の構成例を示す説明図である。
【図１９】図１９は、弟２の実施の形態にかかる定着装置を主とした制御系の構成を示すブロック図である。
【図２０】図２０は、第３の実施の形態にかかる定着装置の構成例を示す説明図である。
【発明を実施するための形態】
【００１２】
以下に添付図面を参照して、この発明にかかる定着装置および画像形成装置の最良な実施の形態を詳細に説明する。なお、本発明の画像形成装置を複合機に適用した例を示すが、これに限定されるものではなく、複写機、プリンタ、ファクシミリ等にも適用することが可能である。
【００１３】
（第１の実施の形態）
図１は、本実施の形態にかかる複合機の機構部の一例を示す概略構成図である。この複合機２００は、デジタル複写機を含む画像形成装置である。すなわち、複合機２００は、複写機能と、それ以外の機能、例えば、プリンタ機能、ファクシミリ機能とを備えており、操作部のアプリケーション切り替えキー（図示せず）の操作により、複写機能、プリンタ機能、ファクシミリ機能を順次切り替えて選択することが可能である。これにより、複写機能の選択時には複写モードとなり、プリンタ機能の選択時にはプリンタモードとなり、ファクシミリ機能の選択時にはファクシミリモードとなる。
【００１４】
この複合機２００において、自動紙送り装置（「自動原稿給紙装置」ともいう。以下、「ＡＤＦ」という）２０１に設けられている原稿トレイ（「原稿台」ともいう）２０２に画像面を上にして置かれた原稿束は、コピーモード時に操作部（図示せず）上のスタートキーが押下されると、一番下の原稿から１枚ずつ順次給送ローラ２０３、給送ベルト２０４によってコンタクトガラス２０５上の所定の位置に給送されてセットされる。ＡＤＦ２０１は、１枚の原稿の給送完了毎に原稿枚数をインクリメントするインクリメント機能を有する。コンタクトガラス２０５上のセットされた原稿は、画像読取手段を構成する画像読取装置（「スキャナ」又は「読み取りユニット」ともいう）２０６によって画像が読み取られ、その読み取りが終了した後、給送ベルト２０４及び排送ローラ２０７によって排紙台２０８上に排出される。
【００１５】
なお、１枚の原稿の画像の読み取りが終了する毎に、原稿セット検知器（「原稿セット検知センサ」ともいう）２０９によって原稿トレイ２０２上に次の原稿があるかないかを検知し、原稿セット検知器２０９で原稿トレイ２０２上に次の原稿が存在することが検知された場合には、原稿トレイ２０２上の一番下の原稿を前の原稿と同様にして給送ローラ２０３、給送ベルト２０４によってコンタクトガラス２０５上の所定の位置に給送し、以後上述と同様の動作を行う。また、給送ローラ２０３、給送ベルト２０４、排送ローラ２０７は図示を省略した搬送モータによって駆動される。
【００１６】
第１給紙装置２１０、第２給紙装置２１１、第３給紙装置２１２は、各々選択されたときに、それぞれ第１給紙トレイ２１３、第２給紙トレイ２１４、第３給紙トレイ２１５に積載された転写紙（用紙）を給紙し、その転写紙は縦搬送ユニット２１６によって感光体２１７に当接する位置まで搬送される。感光体２１７は、例えば感光体ドラムが用いられており、図示を省略したメインモータによって回転駆動される。
【００１７】
画像読取装置２０６による原稿の画像読み取りによって入力された画像データ（画像情報）は、図示を省略した画像処理装置で所定の画像処理が施された後、そのまま、あるいは画像記憶手段を構成する図示を省略した画像メモリに一旦記憶させた後、画像印刷手段（プリンタ）を構成する書き込みユニット２１８に送られ、その書き込みユニット２１８によって光情報に変換され、感光体２１７の面には図示を省略した帯電器によって一様に帯電された後に書き込みユニット２１８からの光情報で露光されて静電潜像が形成される。この感光体２１７上の静電潜像は、現像装置（「現像ユニット」ともいう）２１９により現像されてトナー像が形成される。
【００１８】
感光体２１７、帯電器、書き込みユニット２１８、現像装置２１９や、その他の図示を省略した感光体２１７回りの周知の装置などにより、電子写真方式で画像データにより画像を転写紙上に形成する画像形成動作を行う画像形成手段であるプリンタエンジンを構成している。搬送ベルト２２０は、用紙搬送手段及び転写手段を兼ねていて電源から転写バイアスが印加され、縦搬送ユニット２１６からの転写紙を感光体２１７と等速で搬送しながら感光体２１７上のトナー像を転写紙に転写する。この転写紙は、定着装置２２１によりトナー像が定着され、排紙ユニット２２２により排紙トレイ２２３に排出される。感光体２１７、帯電器、書き込みユニット２１８、現像装置２１９、転写手段、画像データにより画像を転写紙上に形成する画像形成手段を構成している。
【００１９】
以上の動作は、通常のモードで転写紙の片面に画像を複写するときの動作であるが、両面モードで転写紙の両面に画像を複写する場合には、第１〜第３給紙トレイ２１３〜２１５の何れかより給紙されて表面に上述のように画像が形成された転写紙は、排紙ユニット２２２により排紙トレイ２２３側ではなく、両面入紙搬送路２２４側に切り替えられ、反転ユニット２２５によりスイッチバックされて表裏が反転され、両面搬送ユニット２２６へ搬送される。
【００２０】
この両面搬送ユニット２２６へ搬送された転写紙は、両面搬送ユニット２２６により縦搬送ユニット２１６へ搬送され、縦搬送ユニット２１６により感光体２１７に当接する位置まで搬送され、感光体２１７上に上述と同様に形成されたトナー像が裏面に転写されて、定着装置２２１でトナー像が定着されることにより両面コピーとなる。この両面コピーは排紙ユニット２２２により排紙トレイ２２３に排出される。また、転写紙を反転して排出する場合には、反転ユニット２２５によりスイッチバックされて表裏が反転された転写紙は、両面搬送ユニット２２６に搬送されずに反転排紙搬送路２２７を経て排紙ユニット２２２により排紙トレイ２２３に排出される。
【００２１】
プリントモードでは、上記画像処理装置からの画像データの代りに、外部からの画像データが書き込みユニット２１８に入力されて、上述と同様に転写紙上に画像が形成される。さらに、ファクシミリモードでは、画像読取装置２０６からの画像データが、図示を省略したファクシミリ送受信部により相手に送信され、相手からの画像データがファクシミリ送受信部で受信されて上述の画像処理装置からの画像データの代りに書き込みユニット２１８に入力されることにより、上述と同様に転写紙上に画像が形成される。
【００２２】
また、この複合機２００には、図示を省略した大量用紙供給装置（以下「ＬＣＴ」という）と、同じく図示を省略したソート、穴あけ、ステイプルを含む処理を行う後処理装置と、原稿の画像の読み取りのためのモード、複写倍率の設定、給紙段の設定、後処理装置で後処理の設定、オペレータに対する表示を行う各種キーやＬＣＤを含むディスプレイを有する操作部とを備えている。
【００２３】
画像読取装置２０６は、原稿を載置するコンタクトガラス２０５と光学走査系で構成されており、光学走査系は露光ランプ２２８、第１ミラー２２９、レンズ２３２、ＣＣＤイメージセンサ２３３を含む各部で構成されている。露光ランプ２２８および第１ミラー２２９は、図示を省略した第１キャリッジ上に固定され、第２ミラー２３０および第３ミラー２３１は、同じく図示を省略した第２キャリッジ上に固定されている。原稿の画像を読み取るときには、光路長が変わらないように、第１キャリッジと第２キャリッジとが２対１の相対速度で機械的に走査される。上記光学走査系は、図示を省略したスキャナ駆動モータを含む駆動部によって駆動される。
【００２４】
画像読取装置２０６は、原稿の画像を光学的に読み取って電気信号に変換する（原稿の画像データを読み取る）。すなわち、光学走査系の露光ランプ２２８によって原稿の画像面を照明し、その画像面からの反射光像を第１ミラー２２９、第２ミラー２３０、第３ミラー２３１、レンズ２３２を介してＣＣＤイメージセンサ２３３の受光面に結像させ、そのＣＣＤイメージセンサ２３３によって電気信号に変換する。このとき、レンズ２３２およびＣＣＤイメージセンサ２３３を、図１の左右方向に移動させることにより、原稿の給送方向の画像読み取り倍率が変わる。つまり、予め設定された画像読み取り倍率に対応してレンズ２３２およびＣＣＤイメージセンサ２３３の左右方向の位置が設定される。
【００２５】
書き込みユニット２１８は、レーザ出力ユニット２３４、結像レンズ２３５、ミラー２３６を含む各部で構成され、レーザ出力ユニット２３４の内部にはレーザ光源であるレーザダイオードおよびモータによって高速で定速回転するポリゴンミラー（回転多面鏡）が備わっている。レーザ出力ユニット２３４より照射されるレーザビーム（レーザ光）は、定速回転するポリゴンミラーで偏向され、結像レンズ２３５を通り、ミラー２３６で折り返され、感光体２１７の帯電面に集光されて結像される。
【００２６】
すなわち、ポリゴンミラーで偏向されたレーザビームは感光体２１７が回転する方向と直交する方向（主走査方向）に露光走査され、画像処理装置より出力される画像データのライン単位の書き込みを行う。感光体２１７の回転速度と走査密度（記録密度）に対応する所定の周期で主走査を繰り返すことにより、感光体２１７の帯電面に静電潜像が形成される。
【００２７】
次に、図１に示す定着装置２２１の構成について説明する。図２は、図１に示す定着装置の構成例を示す説明図である。図２に示すように、定着装置２２１は、定着手段としての定着ローラ１２４、定着ローラ１２４に架設された定着ベルト１３０、定着ベルト１３０を加熱する加熱ローラ１３１、および加圧ローラ１２５を有する。なお、加圧ローラ１２５は、シリコンゴムを含む弾性部材からなる加圧部材であり、図示しない加圧手段により一定の加圧力で定着部材である定着ローラ１２４に押し当てられている。
【００２８】
脱圧センサ１２６は、加圧手段により加圧ローラ１２５が定着ローラ１２４に押し当てられている圧力を計測する。加圧手段は、脱圧センサ１２６により計測された圧力に基づいて、加圧ローラ１２５を定着ローラ１２４に押し当てる。オイル塗布ローラ１２７は、加圧ローラ１２５に少量のシリコンオイルを塗布する。これにより、オイル塗布ローラ１２７は、加圧ローラ１２５に付着したトナーを回収する。また、シリコンオイルは、紙表面の滑りを良くすることで、加圧ローラ１２５への紙の巻き付きを防止し、分離板１２９による各ローラからの紙の剥離を容易にする。クリーニングローラ１２８は、オイル塗布ローラ１２７により加圧ローラ１２５から収集したトナーを当該オイル塗布ローラ１２７から回収する。
【００２９】
また、定着装置２２１は、電力供給されて発熱する複数の加熱手段１〜３（１１２〜１１４）を備え、加熱手段１〜３（１１２〜１１４）により加熱される被加熱部材（例えば、加熱ローラ１３１、定着ローラ１２４、加圧ローラ１２５）により紙（記録媒体）に転写したトナー像を定着させる。例えば、加熱手段１（１１２）及び加熱手段２（１１３）は、加熱ローラ１３１の内部に配置されており、加熱ローラ１３１を内側から加熱する。また、加熱手段３（１１４）は、加圧ローラ１２５の内部に配置されており、加圧部材である加圧ローラ１２５を内側から加熱する。
【００３０】
定着ローラ１２４及び加圧ローラ１２５は、図示を省略した駆動機構により回転駆動される。サーミスタを含む温度検出回路１（１１９）は、加熱手段１（１１２）により加熱される加熱ローラ１３１の表面に当接され、加熱ローラ１３１の表面温度（定着温度）を検出する。同じくサーミスタを含む温度検出回路２（１２０）は、加熱手段２（１１３）により加熱される加熱ローラ１３１の表面に当接され、加熱ローラ１３１の表面温度（定着温度）を検出する。同じくサーミスタを含む温度検出回路３（１２１）は、加熱手段３（１１４）により加熱される加圧ローラ１２５の表面に当接され、加圧ローラ１２５の表面温度を検出する。トナー像を担持した転写紙を含む記録媒体は、定着ローラ１２４と加圧ローラ１２５とのニップ部を通過する際に、定着ローラ１２４と加圧ローラ１２５による加熱及び加圧でトナー画像として定着される。
【００３１】
図３は、定着装置を主とした制御系の構成を示すブロック図である。図３に示すように、定着装置２２１を主とした制御系１００は、商用電源１０１、ＡＣ（Alternating  Current）電力制御部１０２、制御部１０３、主電源ＳＷ（スイッチ）１０４、ＤＣ（Direct  Current）電源１０５、モータ，ＳＯＬ（ソレノイド），ＣＬ（クロック）等１０６（以下、モータ１０６とする）、およびセンサ，ＳＷ（スイッチ）等１０７（以下、センサ１０７とする）を備える。また、ＡＣ電力制御部１０２は、過電流保護素子１０８、ノイズフィルタ１０９、リレー１１０、サーモスタット１１１、加熱手段１（１１２）、加熱手段２（１１３）、加熱手段３（１１４）、電圧供給回路１（１１５）、電圧供給回路２（１１６）、電圧供給回路３（１１７）、ゼロクロス検出回路１１８、温度検出回路１（１１９）、温度検出回路２（１２０）、および温度検出回路３（１２１）を備える。また、制御部１０３は、ＣＰＵ１２２および記憶手段１２３を備える。
【００３２】
商用電源１０１から供給される電力は、ヒューズである過電流保護素子１０８およびノイズフィルタ１０９を介して制御系１００内の各部に供給される。主電源ＳＷ１０４は、定着装置２２１が搭載される複合機２００のオン／オフを切り替えるスイッチであって、主電源ＳＷ１０４がオンになった場合には、ＤＣ電源１０５に電力が供給されるとともに、ＤＣ電源１０５を介して、制御部１０３、モータ１０６、センサ１０７に電力が供給される。
【００３３】
ＤＣ電源１０５は、ＡＣ／ＤＣコンバータ等であって、主電源ＳＷ１０４を介して供給された交流出力を直流電力に変換し、この変換した直流電力を制御部１０３、モータ１０６、センサ１０７に供給する。
【００３４】
また、商用電源１０１から、過電流保護素子１０８およびノイズフィルタ１０９を介して供給された電力は、スイッチング素子であるリレー１１０を介して電圧供給回路１〜３（１１５〜１１７）に夫々供給される。
【００３５】
リレー１１０は、図示しないが、制御部１０３からの電力供給信号により、リレーが備えるコイルの両端に電圧（２４Ｖ）を印加して、開閉される。なお、本実施の形態では、リレー１１０が備えるコイルの両端に２４Ｖの電圧を印加したが、これに限定するものではない。例えば、１２Ｖや５Ｖ等、リレーの仕様に合わせた電圧を印加する。
【００３６】
具体的には、リレー１１０は、主電源ＳＷ１０４がオンしてＤＣ電源１０５が定電圧を出力すると、閉じられる構成となっている。例えば、リレー１１０は、紙のジャム時、トナーカートリッジ等の消耗品の交換時に開かれるドアが開けられ、または複合機２００に異常が発生して主電源ＳＷ１０４がオフしてＤＣ電源１０５からの定電圧の出力が遮断された場合に、リレー１１０のコイルに電圧が励磁され、ＡＣ電力制御部１０２内への電力供給を遮断する。
【００３７】
電圧供給回路１〜３（１１５〜１１７）は、制御部１０３の制御の下、商用電源１０１から供給された電力を、加熱手段１〜３（１１２〜１１４）に供給することで当該加熱手段１〜３（１１２〜１１４）を発熱させる。本実施の形態では、電圧供給回路１〜３（１１５〜１１７）は、トライアック（双方向サイリスタ）であり、制御部１０３からの電力供給信号に応じて、加熱手段１〜３（１１２〜１１４）に電力供給する。ここで、電力供給信号は、電圧供給回路１〜３（１１５〜１１７）からの電力供給のオン／オフを切り替えるための信号である。
【００３８】
加熱手段１〜３（１１２〜１１４）は、電圧供給回路１〜３（１１５〜１１７）から電力が供給されて発熱し、被加熱部材（加熱ローラ１３１、加圧ローラ１２５）を加熱する。具体的には、加熱手段１〜３（１１２〜１１４）は、タングステン等をフィラメント（発熱部）とするハロゲンヒータであり、各ヒータのフィラメントは加熱を行う各ローラの軸方向に発熱領域が規制してある。
【００３９】
また、加熱手段１〜３（１１２〜１１４）は、図２に示すように、加熱ローラ１３１および加圧ローラ１２５の内部に配置されており、電圧供給回路１〜３（１１５〜１１７）から供給される電力に応じて発熱し、加熱ローラ１３１および加圧ローラ１２５を内側から加熱する。
【００４０】
また、加熱手段１〜３（１１２〜１１４）は、選択的に電力供給される下位ランクの加熱手段（第１加熱手段）または下位ランクの加熱手段より優先して電力供給される上位ランクの加熱手段（第２加熱手段）に分類されているものとする。本実施の形態では、後述する制御部１０３が備える記憶手段１２３が、上位ランクの加熱手段または下位ランクの加熱手段への加熱手段１〜３（１１２〜１１４）の分類を表すテーブルを記憶する。
【００４１】
図４は、加熱手段の分類を表すテーブルの一例である。加熱手段１〜３（１１２〜１１４）は、図４に示すように、複合機２００の動作モード（（１）ウォームアップ，（２）省エネからの復帰時，（３）コピー時（稼動時），（４）待機時，（５）省エネモード時）ごとに、下位ランクの加熱手段または上位ランクの加熱手段への分類が異なるものとする。ここで、（１）ウォームアップは、複合機２００の主電源ＳＷ１０４がオンされた時（投入時）である。また、（２）省エネからの復帰時は、後述する（５）省エネモード時からの復帰した時である。（３）コピー時（稼動時）は、複合機２００の主たる動作であるコピーやプリント等の実行時である。（４）待機時は、コピーやプリント等の実行を直ちに開始することができる準備状態である。（５）省エネモード時は、（４）待機時よりも定着装置２２１への電力供給が低い状態である。
【００４２】
具体的には、加熱手段１（１１２）は、（５）省エネモード時において、選択的に電力が供給される下位ランクの加熱手段に分類される。また、加熱手段１（１１２）は、（１）複合機２００の主電源投入時（ウォームアップ）、（２）省エネからの復帰時、（３）主たる動作のプリントやコピー時、および（４）プリントやコピーの待機時において、下位ランクの加熱手段より優先して電力が供給される上位ランクの加熱手段に分類される。よって、加熱手段１（１１２）は、（５）省エネモード時を除く全ての動作モードにおいて、被加熱部材（加熱ローラ１３１）が基準となる目標温度を下回っている全ての状態で、下位ランクに分類された加熱手段より優先して電力が供給される。また、加熱手段１（１１２）は、（５）省エネモード時において、被加熱部材（加熱ローラ１３１）が基準となる目標温度を下回っている全ての状態で、選択的に電力が供給される。
【００４３】
ここで、目標温度（維持温度）とは、記録媒体へのトナー像の定着不良の防止を保障できる定着温度であり、本実施の形態では、全ての被加熱部材（加熱ローラ１３１および加圧ローラ１２５）が同一の目標温度に維持されるものとする。なお、本実施の形態では、被加熱部材である加熱ローラ１３１および加圧ローラ１２５の目標温度が同じ温度に維持されているものとするが、これに限定するものではない。加熱ローラ１３１および加圧ローラ１２５の目標温度をそれぞれ異なる温度に維持することも可能である。
【００４４】
また、加熱手段２（１１３）は、（４）プリントやコピーの待機時および（５）省エネモード時において、選択的に電力が供給される下位ランクの加熱手段に分類される。また、加熱手段２（１１３）は、（１）ウォームアップ、（２）省エネからの復帰時、および（３）プリントやコピー時において、下位ランクの加熱手段より優先して電力が供給される上位ランクの加熱手段に分類される。よって、加熱手段２（１１３）は、（４）プリントやコピーの待機時および（５）省エネモード時を除く全ての動作モードにおいて、被加熱部材（加熱ローラ１３１）が基準となる目標温度を下回っている全ての状態で、下位ランクに分類された加熱手段より優先して電力が供給される。また、加熱手段２（１１３）は、（４）プリントやコピーの待機時および（５）省エネモード時において、被加熱部材（加熱ローラ１３１）が基準となる目標温度を下回っている全ての状態で、選択的に電力が供給される。
【００４５】
加熱手段３（１１４）は、（４）プリントやコピーの待機時および（５）省エネモード時において、選択的に電力が供給される下位ランクの加熱手段に分類される。また、加熱手段３（１１４）は、加熱手段２（１１３）と同様に、（１）ウォームアップ、（２）省エネからの復帰時、および（３）プリントやコピー時において、下位ランクの加熱手段より優先して電力が供給される上位ランクの加熱手段に分類される。よって、加熱手段３（１１４）は、（４）プリントやコピーの待機時および（５）省エネモード時を除く全ての動作モードにおいて、被加熱部材（加圧ローラ１２５）が基準となる目標温度を下回っている全ての状態で、下位ランクに分類された加熱手段より優先して電力が供給される。加熱手段３（１１４）は、（４）プリントやコピーの待機時および（５）省エネモード時において、被加熱部材（加圧ローラ１２５）が基準となる目標温度を下回っている全ての状態で、選択的に電力が供給される。
【００４６】
温度検出回路１〜３（１１９〜１２１）は、加熱手段１〜３（１１２〜１１４）毎に設けられ、加熱手段（１〜３）１１２〜１１４により加熱される被加熱部材（加熱ローラ１３１および加圧ローラ１２５）の温度を検出する。本実施の形態では、温度検出回路１〜３（１１９〜１２１）は、被加熱部材の表面近傍の加熱手段１〜３（１１２〜１１４）の発熱領域に対応した位置にそれぞれ設けられており、加熱手段１〜３（１１２〜１１４）の発熱領域に対応した位置で検出した表面温度を制御部１０３に出力する。
【００４７】
ヒューズサーモ１１１は、バイメタル方式サーモスタットまたは温度ヒューズであって、加熱手段１〜３（１１２〜１１４）に直列接続される加熱保護装置である。ヒューズサーモ１１１は、定着装置２２１が備える定着ローラ（被加熱部材）１２４等が溶融する温度になると、ヒューズサーモ１１１内のスイッチを開放し、商用電源１０１から加熱手段１〜３（１１２〜１１４）への電力供給を遮断する。なお、本実施の形態では、ヒューズサーモ１１１には、ヒューズサーモ１１１内のスイッチが一度開放されると、温度が低下しても開放を保持するタイプのサーモスタットを採用する。
【００４８】
ゼロクロス検出回路１１８は、過電流保護素子１０８、ノイズフィルタ１０９、およびリレー１１０を介して商用電源１０１から供給された交流電圧の位相が反転するタイミングを検知し、この検知信号を制御部１０３に出力する。
【００４９】
制御部１０３は、ＣＰＵ（Central-Processing-Unit）１２２、およびＲＯＭ（Read  Only  Memory）やＲＡＭ（Random  Access  Memory）等の記憶手段１２３を備えたマイクロコンピュータである。ＣＰＵ１２２は、複合機２００を制御するためのプログラムやデータを格納するための記憶手段１２３と接続されており、記憶手段１２３に格納されたプログラムを実行して、複合機２００が備えるプリンタエンジンや電源回路等の制御動作を行う一方、制御動作に伴う各種情報を記憶手段１２３に格納する。
【００５０】
まず、制御部１０３が行う制御動作について簡単に説明する。制御部１０３は、ＤＣ電源１０４から供給された直流電力を、モータ１０６、ＡＤＦ（Auto  Document  Feeder）等の原稿送り装置、記録媒体を給紙する大量用紙供給装置、印刷後の記録媒体にステープラ処理等の後処理を施す後処理装置に供給する。
【００５１】
また、制御部１０３は、電圧供給回路１〜３（１１５〜１１７）から加熱手段１〜３（１１２〜１１４）に電力を供給する時間などの点灯Dutyに従って、電力供給信号を電圧供給回路１〜３（１１５〜１１７）に出力することにより、加熱手段１〜３（１１２〜１１４）への電力供給を制御する。なお、本実施の形態では、制御部１０３は、商用電源１０１の電源周期よりも短い一定周期で電力供給信号を出力するものとする。ここで、商用電源１０１の電源周期は、記憶手段１２３内に予め記憶されている態様としてもよいし、ゼロクロス検出回路１１８から入力される検知信号のタイミングに基づいて制御部１０３が算定する態様としてもよい。
【００５２】
なお、本実施の形態では、制御部１０３は、電圧供給回路１〜３（１１５〜１１７）に電力供給信号を出力する周期であって、商用電源１０１の電源周期よりも短い一定周期（例えば、１秒）を、ゼロクロス検出回路１１８から入力される検知信号のタイミングに基づいて計測しているが、これに限定するものではない。例えば、制御部１０３が１０ｍｓごとに割り込みを発生させるタイマー（図示しない）を備え、タイマーからの割り込み回数が１００回に達した場合（１０ｍｓ×１００回＝１秒）に、一定周期経過したと判定する。そして、制御部１０３は、一定周期経過する毎に、点灯Dutyに従って、電力供給信号を電圧供給回路１〜３（１１５〜１１７）に出力する。
【００５３】
ここで、電圧供給回路１〜３（１１５〜１１７）に電力供給信号を出力する際の点灯Dutyの特定処理の一例について説明する。制御部１０３は、温度検出回路１〜３（１１９〜１２１）により検出された被加熱部材（加熱ローラ１３１および加圧ローラ１２５）の温度検出結果と目標温度との差分と、当該差分により定まる加熱手段１〜３（１１２〜１１４）に電力を供給する時間を示す点灯Dutyと、を対応付けるテーブル（以下、温度テーブルとする）から、被加熱部材の温度検出結果と目標温度との差分に対応する点灯Dutyを特定する。そして、制御部１０３は、特定した点灯Dutyに従って、電圧供給回路１〜３（１１５〜１１７）に電力供給信号を出力する。ここで、電力供給信号は、上述したように、温度テーブルから特定した点灯Dutyに従って、電圧供給回路１〜３（１１５〜１１７）に出力される信号であり、電圧供給回路１〜３（１１５〜１１７）からの電力供給のオン／オフを切り替えるための信号である。なお、温度テーブルは、記憶手段１２３に予め格納されているものとする。このように、温度検出回路１〜３（１１９〜１２１）の温度検出結果を用いて、電圧供給回路１〜３（１１５〜１１７）に出力する点灯Dutyを特定することにより、被加熱部材の温度リップルの低減を図りつつ、フリッカ等を抑制することができる。
【００５４】
次に、このような制御系１００において、ＣＰＵ１２２が記憶手段１２３に記憶されたプログラムに従うことにより実現される加熱手段１〜３（１１２〜１１４）への電力供給処理であって、複合機２００にフリッカ優先モードが設定された場合の電力供給処理の詳細について説明する。図５は、フリッカ優先モードが設定された場合の加熱手段への電力供給処理を実行する制御部の機能構成を示すブロック図である。ここで、フリッカ優先モードとは、電圧供給回路１〜３（１１５〜１１７）から加熱手段１〜３（１１２〜１１４）への電力供給により発生する電圧変動を抑制するモードである。本実施の形態では、フリッカ優先モードは、操作部（図示しない）を介して設定することができるものとする。制御部１０３は、図５に示すように、供給制御部１０３ａを備えて構成される。
【００５５】
供給制御部１０３ａは、ゼロクロス検出回路１１８から入力される検知信号のタイミングに基づいて計測した一定周期ごとに、温度検出回路１〜３（１１９〜１２１）により検出された被加熱部材の温度検出結果が目標温度を下回っているか否かを判断する。なお、本実施の形態では、一定周期に到達したか否かは、ゼロクロス検出回路１１８から入力される検知信号のタイミングに基づいて図示しないカウンタ（以下、一定周期カウンタとする）をインクリメントすることにより計測しているが、これに限定するものではない。例えば、供給制御部１０３ａは、１０ｍｓごとに割り込みを発生させるタイマー（図示しない）を用いて、タイマーからの割り込み回数が１００回に達した場合（１０ｍｓ×１００回＝１秒）に、一定周期経過したと判定する。そして、供給制御部１０３ａは、一定周期経過する毎に、後述する処理を経て、温度検出回路１〜３（１１９〜１２１）から取得した温度検出結果に基づく電圧供給回路１〜３（１１５〜１１７）への電力供給信号の出力を実行する。
【００５６】
供給制御部１０３ａは、被加熱部材の温度検出結果が目標温度を下回っていると判断された場合、温度検出結果が目標温度を下回った被加熱部材を加熱する加熱手段１〜３（１１２〜１１４）のうち、記憶手段１２３に記憶されたテーブルが表す動作モードごとの加熱手段１〜３（１１２〜１１４）の分類において、上位ランクの加熱手段に分類されている加熱手段に電力供給するとともに、下位ランクの加熱手段に分類されている加熱手段の中から１つの加熱手段を選択して電力供給する。なお、本実施の形態では、供給制御部１０３ａは、上述したように、電圧供給回路１〜３（１１５〜１１７）に電力供給信号を出力して、加熱手段１〜３（１１２〜１１４）への電力供給を制御するものとする。これにより、全ての加熱手段１〜３（１１２〜１１４）の消灯と点灯のサイクルが繰り返されるのを防止することができるので、フリッカの発生を抑制することができる。また、本実施の形態では、記憶手段１２３に記憶された動作モードごとの加熱手段１〜３（１１２〜１１４）の分類に従って、加熱手段１〜３（１１２〜１１４）への電力供給を行うことができるので、動作モード毎に最適な電力供給を行うことができる。
【００５７】
なお、本実施の形態では、フリッカ優先モードに設定された場合に、温度検出結果が目標温度を下回っていると判断された被加熱部材を加熱する加熱手段のうち、上位ランクの加熱手段に分類されている加熱手段に電力供給するとともに、下位ランクの加熱手段に分類されている加熱手段に選択的に電力供給しているが、これに限定するものではない。例えば、フリッカ優先モードの設定の有無に関わらず、常に、温度検出結果が目標温度を下回っていると判断された被加熱部材を加熱する加熱手段のうち、上位ランクの加熱手段に分類されている加熱手段に電力供給するとともに、下位ランクの加熱手段に分類されている加熱手段に選択的に電力供給しても良い。
【００５８】
また、本実施の形態では、供給制御部１０３ａは、温度検出結果が目標温度を下回っていると判断された被加熱部材を加熱する下位ランクの加熱手段の中から１つの加熱手段を選択して電力供給しているが、下位ランクの加熱手段全てに電力供給を行わず、下位ランクの加熱手段に選択的に電力供給するものであれば、これに限定するものではない。例えば、下位ランクの加熱手段が５つある場合、５つの加熱手段の中から２つの加熱手段を選択して電力供給しても良い。
【００５９】
ここで、下位ランクの加熱手段の選択処理について詳細に説明する。供給制御部１０３ａは、温度検出結果と目標温度との差分の大小である第１供給条件、加熱手段に電力供給されていない期間の大小である第２供給条件、または温度検出結果に基づく電力供給時間の大小である第３供給条件に基づいて、下位ランクに分類された加熱手段の中から１つの加熱手段を選択して電力供給する。より具体的には、供給制御部１０３ａは、緊急度が最も高い第１供給条件に基づいて加熱手段を選択することができない場合（つまり、温度検出結果と目標温度との差分が等しい場合）、第１供給条件の次に緊急度の高い第２供給条件に基づいて下位ランクに分類された１つの加熱手段を選択して電力供給し、第２供給条件に基づいて加熱手段を選択することができない場合（つまり加熱手段に電力供給していない期間が等しい場合）、第３供給条件に基づいて加熱手段を選択して電力供給する。これにより、フリッカを抑制するとともに、最も電力供給を必要としている加熱手段を選択して電力供給することができる。
【００６０】
具体的には、供給制御部１０３ａは、第１供給条件に基づいて、下位ランクの加熱手段の加熱による被加熱部材の温度検出結果と目標温度との差分が最も大きい被加熱部材を加熱する下位ランクの加熱手段を選択する。これにより、目標温度を最も大きく下回った被加熱部材を加熱することができるので、特定の加熱手段により加熱される被加熱部材の温度のみが低下または上昇することを防止することができる。
【００６１】
また、供給制御部１０３ａは、下位ランクの加熱手段により加熱される被加熱部材の温度検出結果と目標温度との差分が等しい場合、第２供給条件に基づいて、加熱手段に電力が供給されていない期間が最も長い下位ランクの加熱手段を選択する。なお、本実施の形態では、第２供給条件は、加熱手段１〜３（１１２〜１１４）が下位ランクに分類されている間における加熱手段に電力供給されていない期間（以下、消灯期間とする）の大小であるものとする。供給制御部１０３ａは、下位ランクに分類されている間の加熱手段の消灯期間だけを計測することにより、リソースの節約を図ることができる。具体的には、供給制御部１０３ａは、ゼロクロス検出回路１１８から入力される検知信号のタイミングに基づいて計測した一定周期（１秒）経過する度に、各加熱手段１〜３（１１２〜１１４）の図示しないカウンタ（以下、消灯期間カウンタとする）をインクリメントして、各加熱手段１〜３（１１２〜１１４）に電力が供給されていない消灯期間を計測する。なお、供給制御部１０３ａは、加熱手段１〜３（１１２〜１１４）への電力供給が開始されると、電力供給が開始された加熱手段に対応する消灯期間カウンタの消灯期間をクリアする。また、消灯期間カウンタは、下位ランクの加熱手段についてのみ消灯期間を計測してもよい。
【００６２】
さらに、供給制御部１０３ａは、下位ランクの加熱手段の消灯期間が等しい場合、第３供給条件に基づいて、被加熱部材の温度検出結果に基づく点灯Dutyが最も大きい下位ランクの加熱手段を選択する。本実施の形態では、供給制御部１０３ａは、記憶手段１２３に記憶された温度テーブルにおいて、被加熱部材の温度検出結果と対応付けられた点灯Dutyが最も大きい下位ランクの加熱手段を選択する。なお、本実施の形態では、温度テーブルを用いて下位ランクの加熱手段の点灯Dutyを特定したが、これに限定するものではない。例えば、供給制御部１０３ａは、被加熱部材の温度検出結果に基づいて、被加熱部材の温度を目標温度まで上げるために必要な点灯Dutyを算出し、算出した点灯Dutyが最も大きい下位ランクの加熱手段を選択しても良い。点灯Dutyは、ＰＩＤ制御または点灯Dutyを導出可能な関係式により算出する。
【００６３】
図６は、（３）プリントおよびコピーの待機時に下位ランクの加熱手段に電力供給する処理の一例を示す説明図である。なお、加熱手段１（１１２）は、プリントおよびコピーの待機時において、上位ランクに分類されるため、温度検出回路１（１１９）による加熱ローラ１３１の温度検出結果が目標温度を下回っている全ての状態で電力供給される。
【００６４】
まず、温度検出制御タイミング（１）においては、下位ランクの加熱手段２（１１３）および加熱手段３（１１４）により加熱される加熱ローラ１３１および加圧ローラ１２５の温度がともに目標温度に達しているため、加熱手段２（１１３）および加熱手段３（１１４）ともに電力供給は行われない。
【００６５】
一方、温度検出制御タイミング（２）および（３）においては、下位ランクの加熱手段２（１１３）および加熱手段３（１１４）により加熱される加熱ローラ１３１および加圧ローラ１２５ともに目標温度を下回っているため、加熱手段２（１１３）および加熱手段３（１１４）ともに電力供給が必要である。しかし、加熱手段２（１１３）および加熱手段３（１１４）は、下位ランクに分類されているため、供給制御部１０３ａは、加熱手段２（１１３）または加熱手段３（１１４）を選択して電力供給する。具体的には、温度検出制御タイミング（２）および（３）では、加圧ローラ１２５の温度と目標温度との差分の方が、加熱ローラ１３１の温度と目標温度の差分よりも大きいため、加熱手段３（１１４）にのみ電力供給される。なお、温度検出制御タイミング（２）においては、電力供給開始から最初の１００ｓ間の電力供給率を６０％とすることにより、加熱手段３（１１４）による加熱をソフトスタートさせる。また、温度検出制御タイミング（３）においては、電力供給開始から最初の１００ｓ間の電力供給率を７０％とすることにより、加熱手段３（１１４）による加熱をソフトスタートさせる。
【００６６】
なお、本実施の形態では、電力供給開始から最初の１００ｓ間の電力供給率を６０％、７０％などにすることにより、加熱手段による加熱をソフトスタートさせることとしたが、加熱手段による加熱を段階的に上昇させるものであれば、これに限定するものではない。
【００６７】
また、本実施の形態では、点灯Dutyにソフトスタートの時間：１００ｍｓを含めたが、これに限定するものではない。例えば、ソフトスタートやソフトストップの時間を含めない点灯Dutyにより加熱手段に電力を供給してもよい。ここで、ソフトスタート／ソフトストップとは、加熱手段に供給する電力量を、段階的に増加または減少させる制御であり、制御部１０３により制御されるものとする。これにより、電力供給に伴い発生する電圧変動を抑えることができる。
【００６８】
また、温度検出制御タイミング（４）においては、下位ランクの加熱手段２（１１３）および加熱手段３（１１４）により加熱される加熱ローラ１３１および加圧ローラ１２５ともに目標温度を下回っているため、加熱手段２（１１３）および加熱手段３（１１４）ともに電力供給が必要である。しかし、加熱手段２（１１３）および加熱手段３（１１４）は、下位ランクに分類されているため、供給制御部１０３ａは、加熱手段２（１１３）または加熱手段３（１１４）を選択して電力供給する。具体的には、温度検出制御タイミング（４）では、加圧ローラ１２５の温度と目標温度との差分と、加熱ローラ１３１の温度と目標温度との差分と、が等しいが、加熱手段２（１１３）の方が加熱手段３（１１４）よりも消灯期間が長いため、加熱手段２（１１３）にのみ電力供給する。なお、温度検出制御タイミング（４）においては、電力供給開始から最初の１００ｓ間の電力供給率を４０％とすることにより、加熱手段２（１１３）による加熱をソフトスタートさせる。
【００６９】
また、仮に、温度検出制御タイミング（４）において加熱手段２（１１３）および加熱手段３（１１４）の消灯期間が等しかった場合には、加熱手段２（１１３）および加熱手段３（１１４）それぞれの点灯Dutyを特定し、点灯Dutyが大きい方に電力供給する。例えば、加熱手段２（１１３）の点灯Dutyが４０％で、加熱手段３（１１４）の点灯Dutyが６０％の場合には、加熱手段３（１１４）に電力供給する。
【００７０】
なお、本実施の形態では、第１供給条件（被加熱部材の温度検出結果）、第２供給条件（加熱手段の消灯期間）、または第３供給条件（加熱手段の点灯Duty）に基づいて、電力供給する加熱手段を選択したが、これに限定するものではない。例えば、予め設定された加熱手段ごとの順位や各加熱手段の消費電力量等を用いて、電力供給する加熱手段を選択しても良い。
【００７１】
このように、下位ランクに分類された加熱手段のうち１本にのみ電力供給を行うことにより、（４）待機時は上位ランクの加熱手段と合わせて、同一制御周期では最大２本の加熱手段にしか電力供給が行われないため、フリッカを抑制しつつ、各動作モードに適した電圧制御を実現することができる。
【００７２】
次に、図７を用いて、プリントおよびコピーの待機時に、下位ランクの加熱手段に電力供給する処理の手順について説明する。図７は、（３）プリントおよびコピーの待機時に下位ランクの加熱手段に電力供給する処理の手順を示すフローチャートである。
【００７３】
供給制御部１０３ａは、一定周期カウンタにより計測される時間が一定周期を経過したか否かを判断する（ステップＳ４０１）。一定周期カウンタの計測値が一定周期を経過した場合（ステップＳ４０１：Ｙｅｓ）、供給制御部１０３ａは、複合機２００にフリッカ優先モードが設定されているか否かを判断する（ステップＳ４０２）。なお、フリッカ優先モードは、ユーザまたはサービスマンが複合機２００の操作画面（図示しない）などから任意に設定できるものとする。フリッカ優先モードが設定されていない場合（ステップＳ４０２：Ｎｏ）、供給制御部１０３ａは、各加熱手段１〜３（１１２〜１１４）のランクに関わらず、被加熱部材が目標温度を下回っている全ての状態で、温度テーブルから、被加熱部材の温度検出結果と目標温度との差分と対応付けられた点灯Dutyを特定し、特定した点灯Dutyに従って電力供給信号を出力する（ステップＳ４０６）。そして、電力供給信号を出力した後、供給制御部１０３ａは、一定周期カウンタをクリアする（ステップＳ４０５）。
【００７４】
一方、フリッカ優先モードが設定されている場合（ステップＳ４０２：Ｙｅｓ）、供給制御部１０３ａは、被加熱部材の温度検出結果を基に、温度検出結果が目標温度を下回った被加熱部材を加熱する加熱手段のうち、上位ランクに分類された加熱手段１（１１２）の点灯Dutyを特定し、特定した点灯Dutyに従って電力供給信号を出力する（ステップＳ４０３）。次に、供給制御部１０３ａは、被加熱部材の温度検出結果を基に、温度検出結果が目標温度を下回った被加熱部材を加熱する加熱手段のうち、下位ランクの加熱手段２（１１３）または加熱手段３（１１４）を選択し、選択した加熱手段の点灯Dutyを特定し、特定した点灯Dutyに従って電力供給信号を出力する（ステップＳ４０４）。電力供給信号を出力した後、供給制御部１０３ａは、一定周期カウンタをクリアする（ステップＳ４０５）。
【００７５】
なお、ステップＳ４０１において一定周期カウンタにより計測される時間が一定周期に達していないと判断された場合（ステップＳ４０１：Ｎｏ）、供給制御部１０３ａは、一定周期カウンタにより計測される時間をインクリメントする（ステップＳ４０７）。
【００７６】
次に、図８〜１０を用いて、図７に示すステップＳ４０４の処理を詳細に説明する。図８〜１０は、下位ランクに分類された加熱手段の中から電力供給する加熱手段を選択する処理手順を示すフローチャートである。
【００７７】
まず、供給制御部１０３ａは、温度検出回路２（１２０）から加熱ローラ１３１の温度検出結果を取得し、加熱ローラ１３１の温度が目標温度を下回っているか否かを判断する（ステップＳ５０１）。加熱ローラの２０８の温度が目標温度を下回っていた場合（ステップＳ５０１：Ｙｅｓ）、供給制御部１０３ａは、加熱手段２（１１３）の電力供給判定フラグをセットする（ステップＳ５０２）。なお、加熱ローラ１３１の温度が目標温度を下回っていない場合（ステップＳ５０１：Ｎｏ）、供給制御部１０３ａは、電力供給判定フラグのセットは行わない。
【００７８】
次に、供給制御部１０３ａは、温度検出回路３（１２１）から加圧ローラ１２５の温度検出結果を取得し、加圧ローラ１２５の温度が目標温度を下回っているか否かを判断する（ステップＳ５０３）。加圧ローラ１２５の温度が目標温度を下回っていた場合（ステップＳ５０３：Ｙｅｓ）、供給制御部１０３ａは、加熱手段３（１１４）の電力供給判定フラグをセットする（ステップＳ５０４）。なお、加圧ローラ１２５の温度が目標温度を下回っていない場合（ステップＳ５０３：Ｎｏ）、供給制御部１０３ａは、電力供給判定フラグのセットは行わない。
【００７９】
次に、供給制御部１０３ａは、加熱手段２（１１３）に電力供給判定フラグがセットされているか否かを判断する（ステップＳ５０５）。加熱手段２（１１３）に電力供給判定フラグがセットされていない場合（ステップＳ５０５：Ｎｏ）、供給制御部１０３ａは、加熱手段３（１１４）に電力供給判定フラグがセットされているか否かを判断する（ステップＳ５０８）。
【００８０】
そして、加熱手段３（１１４）に電力供給判定フラグがセットされている場合（ステップＳ５０８：Ｙｅｓ）、供給制御部１０３ａは、温度テーブルから、温度検出回路３（１２１）から取得した加圧ローラ１２５の温度検出結果と目標温度との差分と対応付けられた点灯Dutyを特定（または算出）し、特定した点灯Dutyに従って、電力供給信号を電圧供給回路３（１１７）に出力する（ステップＳ５０９）。さらに、供給制御部１０３ａは、加熱手段２（１１３）の消灯期間カウンタのインクリメント、加熱手段３（１１４）の消灯期間カウンタのクリア、および加熱手段３（１１４）にセットされた電力供給判定フラグのクリアを実行する（ステップＳ５０９）。なお、加熱手段３（１１４）に電力供給判定フラグがセットされていない場合（ステップＳ５０８：Ｎｏ）、供給制御部１０３ａは、加熱手段２（１１３）および加熱手段３（１１４）への電力供給を行わない。
【００８１】
一方、加熱手段２（１１３）に電力供給判定フラグがセットされている場合（ステップＳ５０５：Ｙｅｓ）、供給制御部１０３ａは、加熱手段３（１１４）に電力供給判定フラグがセットされているか否かを判断する（ステップＳ５０６）。加熱手段３（１１４）に電力供給判定フラグがセットされていなかった場合（ステップＳ５０６：Ｎｏ）、供給制御部１０３ａは、温度テーブルから、温度検出回路２（１２０）から取得した加熱ローラ１３１の温度検出結果と目標温度との差分と対応付けられた点灯Dutyを特定（または算出）し、特定した点灯Dutyに従って電力供給信号を電圧供給回路２（１１６）に出力する（ステップＳ５０７）。さらに、供給制御部１０３ａは、加熱手段３（１１４）の消灯期間カウンタのインクリメント、加熱手段２（１１３）の消灯期間カウンタのクリア、および加熱手段２（１１３）にセットされた電力供給判定フラグのクリアを実行する（ステップＳ５０７）。
【００８２】
また、加熱手段２（１１３）および加熱手段３（１１４）に電力供給判定フラグがセットされている場合（ステップＳ５０６：Ｙｅｓ）、供給制御部１０３ａは、加熱ローラ１３１の温度検出結果と目標温度との差分、および加圧ローラ１２５の温度検出結果と目標温度との差分を算出する（ステップＳ５１０）。なお、各被加熱部材の温度検出結果と目標温度との差分に係数を乗算してもよい。そして、供給制御部１０３ａは、加熱ローラ１３１の温度検出結果と目標温度との差分と、加圧ローラ１２５の温度検出結果と目標温度との差分と、が等しいか否かを判断する（ステップＳ５１１）。
【００８３】
まず、加熱ローラ１３１の温度検出結果と目標温度との差分と、加圧ローラ１２５の温度検出結果と目標温度との差分と、が等しくなかった場合（ステップＳ５１１：Ｎｏ）の処理について説明する。まず、供給制御部１０３ａは、加熱ローラ１３１の温度検出結果と目標温度との差分が、加圧ローラ１２５の温度検出結果と目標温度との差分より大きいか否かを判断する（ステップＳ５２０）。
【００８４】
加熱ローラ１３１の温度検出結果と目標温度との差分が、加圧ローラ１２５の温度検出結果と目標温度との差分より大きい場合（ステップＳ５２０：Ｙｅｓ）、供給制御部１０３ａは、上述したステップＳ５０７と同様の処理を行う（ステップＳ５２１）。
【００８５】
一方、加熱ローラ１３１の温度検出結果と目標温度との差分が、加圧ローラ１２５の温度検出結果と目標温度との差分以下の場合（ステップＳ５２０：Ｎｏ）、供給制御部１０３ａは、上述したステップＳ５０９と同様の処理を行う（ステップＳ５２２）。
【００８６】
次に、加熱ローラ１３１の温度検出結果と目標温度との差分と、加圧ローラ１２５の温度検出結果と目標温度との差分と、が等しい場合（ステップＳ５１１：Ｙｅｓ）の処理について説明する。まず、供給制御部１０３ａは、加熱手段２（１１３）の消灯期間と加熱手段３（１１４）の消灯期間とが等しいか否かを判断する（ステップＳ５１２）。
【００８７】
加熱手段２（１１３）の消灯期間と加熱手段３（１１４）の消灯期間とが等しくない場合（ステップＳ５１２：Ｎｏ）、供給制御部１０３ａは、加熱手段２（１１３）の消灯期間が加熱手段３（１１４）の消灯期間より長いか否かを判断する（ステップＳ５１７）。そして、加熱手段２（１１３）の消灯期間が加熱手段３（１１４）の消灯期間より長い場合（ステップＳ５１７：Ｙｅｓ）、供給制御部１０３ａは、上述したステップＳ５０７と同様の処理を行う（ステップＳ５１８）。
【００８８】
一方、加熱手段２（１１３）の消灯期間が加熱手段３（１１４）の消灯期間以下の場合（ステップＳ５１７：Ｎｏ）、供給制御部１０３は、上述したステップＳ５０９と同様の処理を行う（ステップＳ５１９）。
【００８９】
また、加熱手段２（１１３）の消灯期間と加熱手段３（１１４）の消灯期間が等しい場合（ステップＳ５１２：Ｙｅｓ）、供給制御部１０３ａは、温度テーブルから、加熱ローラ１３１の温度検出結果と目標温度との差分および加圧ローラ１２５の温度検出結果と目標温度との差分それぞれと対応付けられた加熱手段２（１１３）および加熱手段３（１１４）の点灯Dutyを特定（または算出）する（ステップＳ５１３）。そして、供給制御部１０３ａは、加熱手段２（１１３）の点灯Dutyが加熱手段３（１１４）の点灯Dutyより大きいか否かを判断する（ステップＳ５１４）。
【００９０】
加熱手段２（１１３）の点灯Dutyが加熱手段３（１１４）の点灯Dutyより大きい場合（ステップＳ５１４：Ｙｅｓ）、供給制御部１０３ａは、上述したステップＳ５０７と同様の処理を行う（ステップＳ５１５）。
【００９１】
一方、加熱手段２（１１３）の点灯Dutyが加熱手段３（１１４）の点灯Duty以下である場合（ステップＳ５１４：Ｎｏ）、供給制御部１０３ａは、上述したステップＳ５０９と同様の処理を行う（ステップＳ５１６）。
【００９２】
このように、動作モードの加熱手段のランクに基づいて、下位ランクに分類された加熱手段のうち１本にしか電力供給を行わないことにより、待機モード時は上位ランクの加熱手段と合わせて、同一制御周期では最大２本の加熱手段にしか電力供給が行われないため、フリッカを抑制しつつ、各動作モードに適した電圧制御を実現することができる。
【００９３】
図１１は、（５）省エネモード時に下位ランクの加熱手段に電力供給する処理の一例を示す説明図である。
【００９４】
温度検出制御タイミング（１）においては、温度検出回路１（１１９）で検出された加熱ローラ１３１の温度のみが目標温度を下回っているため、加熱手段１（１１２）のみ電力供給が必要である。そのため、加熱手段１（１１２）のみに電力が供給される。なお、温度検出制御タイミング（１）においては、電力供給開始から最初の１００ｓ間の電力供給率を８０％とすることにより、加熱手段１（１１２）による加熱をソフトスタートさせる。
【００９５】
温度検出制御タイミング（２）においては、温度検出回路２（１２０）で検出された加熱ローラ１３１の温度および温度検出回路３（１２１）で検出された加圧ローラ１２５の温度が目標温度を下回っているため、加熱手段２（１１３）および加熱手段３（１１４）ともに電力供給が必要である。しかし、加熱手段２（１１３）および加熱手段３（１１４）は、下位ランクに分類されているため、供給制御部１０３ａは、加熱手段２（１１３）または加熱手段３（１１４）を選択して電力供給する。具体的には、温度検出制御タイミング（２）では、温度検出回路３（１２１）で検出された加圧ローラ１２５の温度と目標温度との差分の方が、温度検出回路２（１２０）で検出された加熱ローラ１３１の温度の目標温度との差分より大きいため、加熱手段３（１１４）にのみ電力が供給される。なお、温度検出制御タイミング（２）においては、電力供給開始から最初の１００ｓ間の電力供給率を６０％とすることにより、加熱手段３（１１４）による加熱をソフトスタートさせる。
【００９６】
温度検出制御タイミング（３）においては、温度検出回路１（１１９）で検出された加熱ローラ１３１の温度、温度検出回路２（１２０）で検出された加熱ローラ１３１の温度、および温度検出回路３（１２１）で検出された加圧ローラ１２５の温度ともに目標温度を下回っているため、加熱手段１〜３（１１２〜１１４）の全てに電力供給する必要がある。しかし、加熱手段１〜３（１１２〜１１４）の全てが下位ランクに分類されているため、供給制御部１０３ａは、加熱手段１〜３（１１２〜１１４）の中から１つの加熱手段を選択して電力供給する。具体的には、温度検出制御タイミング（３）では、温度検出回路３（１２１）で検出された加圧ローラ１２５の温度と目標温度との差分が、温度検出回路１（１１９）および温度検出回路２（１２０）で検出された温度と目標温度との差分より大きいため、加熱手段３（１１４）にのみ電力が供給される。なお、温度検出制御タイミング（３）においては、電力供給開始から最初の１００ｓ間の電力供給率を７０％とすることにより、加熱手段３（１１４）による加熱をソフトスタートさせる。
【００９７】
温度検出制御タイミング（４）は、温度検出制御タイミング（３）と同様に、温度検出回路１（１１９）で検出された加熱ローラ１３１の温度、温度検出回路２（１２０）で検出された加熱ローラ１３１の温度、および電圧検出回路３（１２１）で検出された加圧ローラ１２５の温度ともに目標温度を下回っているため、加熱手段１〜３（１１２〜１１４）の全てに電力供給する必要がある。しかし、加熱手段１〜３（１１２〜１１４）の全てが下位ランクに分類されているため、供給制御部１０３ａは、加熱手段１〜３（１１２〜１１４）の中から１つの加熱手段を選択して電力供給する。具体的には、温度検出制御タイミング（４）では、温度検出回路１（１１９）で検出された加熱ローラ１３１の温度と目標温度との差分、温度検出回路２（１２０）で検出された加熱ローラ１３１の温度と目標温度との差分、および温度検出回路３（１２１）で検出された加圧ローラ１２５の温度と目標温度との差分が全て等しい。しかし、温度検出制御タイミング（４）では、加熱手段２（１１３）が他の加熱手段よりも消灯期間が長いため、加熱手段２（１１３）を選択して電力供給する。なお、温度検出制御タイミング（４）においては、電力供給開始からの最初の１００ｓ間の電力供給率を４０％とすることにより、加熱手段２（１１３）による加熱をソフトスタートさせる。
【００９８】
このように、動作モードの加熱手段のランクに基づいて、下位ランクに分類された加熱手段のうち同一制御周期に１本の加熱手段にしか電力供給が行われないため、フリッカを抑制することができる。
【００９９】
図１２は、（５）省エネモード時に下位ランクの加熱手段に電力供給する処理の手順を示すフローチャートである。なお、図１２に示すように、（５）省エネモード時に下位ランクの加熱手段に電力供給する処理の手順は、図７に示す処理手順と同様であるため、ここでは説明を省略する。
【０１００】
図１３〜１５は、下位ランクに分類された加熱手段の中から電力供給する加熱手段を選択する処理手順を示すフローチャートである。
【０１０１】
まず、供給制御部１０３ａは、温度検出回路１（１１９）から加熱ローラ１３１の温度検出結果を取得し、温度検出回路１（１１９）で検出された加熱ローラ１３１の温度が目標温度を下回っているか否かを判断する（ステップＳ８０１）。加熱ローラ１３１の温度が目標温度を下回っている場合（ステップＳ８０１：Ｙｅｓ）、供給制御部１０３ａは、加熱手段１（１１２）の電力供給判定フラグをセットする（ステップＳ８０２）。なお、加熱ローラ１３１の温度が目標温度を下回っていない場合（ステップＳ８０１：Ｎｏ）、供給制御部１０３ａは、電力供給判定フラグのセットは行わない。ステップＳ８０３〜ステップＳ８０６の処理は、図８に示す処理と同様であるため、ここでは説明を省略する。
【０１０２】
次に、供給制御部１０３ａは、加熱手段１（１１２）に電力供給判定フラグがセットされているか否かを判断する（ステップＳ８０７）。加熱手段１（１１２）に電力供給判定フラグがセットされていない場合（ステップＳ８０７：Ｎｏ）、供給制御部１０３ａは、加熱手段２（１１３）に電力供給判定フラグがセットされているか否かを判断する（ステップＳ８１５）。加熱手段２（１１３）に電力供給判定フラグがセットされていない場合（ステップＳ８１５：Ｎｏ）、供給制御部１０３ａは、加熱手段３（１１４）に電力供給判定フラグがセットされているか否かを判断する（ステップＳ８１８）。
【０１０３】
加熱手段３（１１４）に電力供給判定フラグがセットされていない場合（ステップＳ８１８：Ｎｏ）、供給制御部１０３ａは、加熱手段１〜３（１１２〜１１４）への電力供給を行わない。一方、加熱手段３（１１４）に電力供給判定フラグがセットされている場合（ステップＳ８１８：Ｙｅｓ）、供給制御部１０３ａは、温度テーブルから、温度検出回路３（１２１）から取得した加圧ローラ１２５の温度検出結果と目標温度との差分と対応付けられた点灯Dutyを特定（または算出）し、特定した点灯Dutyに従って電力供給信号を電圧供給回路３（１１７）に出力する（ステップＳ８１９）。さらに、供給制御部１０３ａは、加熱手段１（１１２）および加熱手段２（１１３）の消灯期間カウンタのインクリメント、加熱手段３（１１４）の消灯期間カウンタのクリア、および加熱手段３（１１４）にセットされた電力供給判定フラグのクリアを実行する（ステップＳ８１９）。
【０１０４】
また、加熱手段２（１１３）に電力供給判定フラグがセットされている場合（ステップＳ８１５：Ｙｅｓ）、供給制御部１０３ａは、加熱手段３（１１４）に電力供給判定フラグがセットされているか否かを判断する（ステップＳ８１６）。ここで、加熱手段３（１１４）に電力供給判定フラグがセットされていない場合（ステップＳ８１６：Ｎｏ）、供給制御部１０３ａは、温度テーブルから、温度検出回路２（１２０）から取得した加熱ローラ１３１の温度検出結果と目標温度との差分と対応付けられた点灯Dutyを特定（または算出）し、特定した点灯Dutyに従って電力供給信号を電圧供給回路２（１１６）に出力する（ステップＳ８１７）。さらに、供給制御部１０３ａは、加熱手段１（１１２）および加熱手段３（１１４）の消灯期間カウンタのインクリメント、加熱手段２（１１３）の消灯期間カウンタのクリア、および加熱手段２（１１３）にセットされた電力供給判定フラグのクリアを実行する（ステップＳ８１７）。なお、加熱手段３（１１４）に電力供給判定フラグがセットされている場合（ステップＳ８１６：Ｙｅｓ）、図１５に示す処理に進む。
【０１０５】
また、加熱手段１（１１２）に電力供給判定フラグがセットされている場合（ステップＳ８０７：Ｙｅｓ）、供給制御部１０３ａは、加熱手段２（１１３）に電力供給判定フラグがセットされているか否かを判断する（ステップＳ８０８）。加熱手段２（１１３）に電力供給判定フラグがセットされている場合（ステップＳ８０８：Ｙｅｓ）、図１５に示す処理に進む。
【０１０６】
さらに、加熱手段２（１１３）に電力供給判定フラグがセットされていない場合（ステップＳ８０８：Ｎｏ）、供給制御部１０３ａは、加熱手段３（１１４）に電力供給判定フラグがセットされているか否かを判断する（ステップＳ８１２）。そして、加熱手段３（１１４）に電力供給判定フラグがセットされていない場合（ステップＳ８１２：Ｎｏ）、供給制御部１０３ａは、温度テーブルから、温度検出回路１（１１９）から取得した加熱ローラ１３１の温度検出結果と目標温度との差分と対応付けられた点灯Dutyを特定（または算出）し、特定した点灯Dutyに従って電力供給信号を電圧供給回路１（１１５）に出力する（ステップＳ８１４）。さらに、供給制御部１０３ａは、加熱手段２（１１３）および加熱手段３（１１４）の消灯期間カウンタのインクリメント、加熱手段１（１１２）の消灯期間カウンタのクリア、および加熱手段１（１１２）にセットされた電力供給判定フラグのクリアを実行する（ステップＳ８１４）。なお、加熱手段３（１１４）に電力供給判定フラグがセットされている場合（ステップＳ８１２：Ｙｅｓ）、図１５に示す処理に進む。
【０１０７】
次に、ステップＳ８０８、ステップＳ８１２、またはステップＳ８１６において２つ以上の加熱手段に電力供給判定フラグがセットされていると判断された場合の処理について説明する。
【０１０８】
まず、供給制御部１０３ａは、電力供給判定フラグがセットされた各加熱手段により加熱される被加熱部材（加熱ローラ１３１、加圧ローラ１２５）の温度と、目標温度との差分を算出する（ステップＳ８２０）。そして、供給制御部１０３ａは、算出された差分同士が等しいか否かを判断する（ステップＳ８２１）。
【０１０９】
算出された差分同士が等しくない場合（ステップＳ８２１：Ｎｏ）、供給制御部１０３ａは、差分が最も大きい被加熱部材を加熱する加熱手段の点灯Dutyを特定し、特定した点灯Dutyに従って電力供給信号を電圧供給回路に出力する（ステップＳ８２５）。さらに、供給制御部１０３ａは、点灯しない加熱手段の消灯期間カウンタのインクリメント、点灯する加熱手段の消灯期間カウンタのクリア、および点灯する加熱手段にセットされた電力供給判定フラグのクリアを実行する（ステップＳ８２５）。
【０１１０】
一方、算出された差分同士が等しい場合（ステップＳ８２１：Ｙｅｓ）、供給制御部１０３ａは、各加熱手段の消灯期間カウンタにより計測された消灯期間が等しいか否かを判断する（ステップＳ８２２）。各加熱手段の消灯期間が異なる場合（ステップＳ８２２：Ｎｏ）、供給制御部１０３ａは、消灯期間が最も長い加熱手段の点灯Dutyを特定し、特定した点灯Dutyに従って電力供給信号を電圧供給回路に出力する（ステップＳ８２６）。さらに、供給制御部１０３ａは、点灯しない加熱手段の消灯期間カウンタのインクリメント、点灯する加熱手段の消灯期間カウンタのクリア、および点灯する加熱手段にセットされた電力供給判定フラグのクリアを実行する（ステップＳ８２６）。
【０１１１】
また、各加熱手段の消灯期間が等しい場合（ステップＳ８２２：Ｙｅｓ）、供給制御部１０３ａは、各加熱手段の点灯Dutyを特定（または算出）する（ステップＳ８２３）。そして、供給制御部１０３ａは、特定した点灯Dutyが最も大きい加熱手段を選択するとともに、特定した点灯Dutyに従って電力供給信号を電圧供給回路に出力する（ステップＳ８２４）。さらに、供給制御部１０３ａは、点灯しない加熱手段の消灯期間カウンタのインクリメント、点灯する加熱手段の消灯期間カウンタのクリア、および点灯する加熱手段にセットされた電力供給判定フラグのクリアを実行する（ステップＳ８２４）。
【０１１２】
このように、本実施の形態によれば、下位ランクに分類された２つの加熱手段のうち、１つのみに電力供給することにより、加熱手段への電力供給による電源電圧の変動を低減できるので、フリッカを抑制することができる。
【０１１３】
（変形例１）
上述の実施の形態では、下位ランクに分類された加熱手段の中から１つの加熱手段を選択して電力供給したが、本変形例では、上位ランクに分類された加熱手段への電力供給の有無に応じて、下位ランクに分類された加熱手段の中から複数の加熱手段を選択して電力供給する。例えば、上位ランクに分類された加熱手段に電力供給が行われていない場合は、下位ランクに分類された加熱手段を２個選択して電力供給しても、加熱手段の電力容量や消費電流の条件によっては、フリッカの低減を図る効果がある。なお、第１実施の形態と同様の構成について説明を省略し、第１実施の形態と異なる構成のみを説明する。
【０１１４】
供給制御部１０３ａは、上位ランクに分類された加熱手段に電力供給されていない場合、下位ランクに分類された加熱手段の中から２つの加熱手段を選択して電力供給する。本変形例は、同時に電力供給される加熱手段を最大２個に制限している点で、上述の実施の形態と変わらないため、上述の実施の形態と同様にフリッカを抑制することができる。
【０１１５】
このように、本変形例では、上位ランクに分類された加熱手段に電力供給されていない場合に、下位ランクに分類された２つの加熱手段に電力供給する。
【０１１６】
図１６は、（３）プリンタおよびコピー待機時に加熱手段に電力供給する処理の一例を示す説明図である。
【０１１７】
まず、温度検出制御タイミング（１）においては、温度検出回路１（１１９）で検出された加熱ローラ１３１の温度のみが目標温度を下回っているため、加熱手段１（１１２）のみ電力供給が必要である。そのため、加熱手段１（１１２）のみに電力が供給される。なお、温度検出制御タイミング（１）においては、電力供給開始から最初の１００ｓ間の電力供給率を８０％とすることにより、加熱手段１（１１２）による加熱をソフトスタートさせている。
【０１１８】
温度検出制御タイミング（２）においては、温度検出回路２（１２０）で検出された加熱ローラ１３１の温度および温度検出回路３（１２１）で検出された加圧ローラ１２５の温度が目標温度を下回っているため、加熱手段２（１１３）および加熱手段３（１１４）ともに電力供給が必要である。ここで、温度検出制御タイミング（２）では、上位ランクに分類されている加熱手段１（１１２）により加熱される加熱ローラ１３１の温度が目標温度を上回っているため、供給制御部１０３ａは、下位ランクに分類された加熱手段２（１１３）および加熱手段３（１１４）を選択して電力供給する。なお、温度検出制御タイミング（２）においては、電力供給開始から最初の１００ｓ間の電力供給率を４０％とすることにより、加熱手段２（１１３）による加熱をソフトスタートし、電力供給開始から最初の１００ｓ間の電力供給率を６０％とすることにより、加熱手段３（１１５）による加熱をソフトスタートさせる。
【０１１９】
なお、本実施の形態では、同一制御周期で２つの加熱手段に電力供給することによるフリッカを抑制するために、供給制御部１０３ａは、一方の加熱手段２（１１３）への電力供給を開始（ソフトスタート開始）してから、１００ｍｓ後に他方の加熱手段３（１１４）への電力供給を開始させている。加熱手段の電力供給の開始の間隔は、１００ｍｓではなく、２００ｍｓ、５０ｍｓなどであってもよい、また、本実施の形態では、加熱手段２（１１３）から電力供給を開始したが、加熱手段３（１１４）から電力供給を開始してもよい。
【０１２０】
温度検出制御タイミング（３）においては、温度検出回路１（１１９）で検出された加熱ローラ１３１の温度、温度検出回路２（１２０）で検出された加熱ローラ１３１の温度、および温度検出回路３（１２１）で検出された加圧ローラ１２５の温度が目標温度を下回っているため、加熱手段１（１１２）、加熱手段２（１１３）および加熱手段３（１１４）ともに電力供給が必要である。ここで、温度検出制御タイミング（３）では、上位ランクに分類されている加熱手段１（１１２）により加熱される加熱ローラ１３１の温度が目標温度を下回っているため、加熱手段１（１１２）に電力供給する。しかし、加熱手段２（１１３）および加熱手段３（１１４）は下位ランクに分類されているため、供給制御部１０３ａは、加熱手段２（１１３）または加熱手段３（１１４）を選択して電力供給する。なお、温度検出制御タイミング（３）においては、加熱ローラ１３１の温度検出結果と目標温度との差分よりも、加圧ローラ１２５の温度検出結果と目標温度との差分の方が大きい。そのため、供給制御部１０３ａは、加熱手段３（１１５）を選択して電力供給する。
【０１２１】
なお、本実施の形態では、同一制御周期で２つの加熱手段に電力供給することによるフリッカを抑制するために、供給制御部１０３ａは、一方の加熱手段１（１１２）への電力供給を開始（ソフトスタート開始）してから、１００ｍｓ後に他方の加熱手段３（１１４）への電力供給を開始させている。加熱手段の電力供給の開始の間隔は、１００ｍｓではなく、２００ｍｓ、５０ｍｓなどであってもよい、また、本実施の形態では、加熱手段１（１１２）から電力供給を開始したが、加熱手段３（１１４）から電力供給を開始してもよい。
【０１２２】
温度検出制御タイミング（４）においては、温度検出回路１（１１９）で検出された加熱ローラ１３１の温度、温度検出回路２（１２０）で検出された加熱ローラ１３１の温度、および温度検出回路３（１２１）で検出された加圧ローラ１２５の温度が目標温度を下回っているため、加熱手段１（１１２）、加熱手段２（１１３）および加熱手段３（１１４）ともに電力供給が必要である。ここで、温度検出制御タイミング（３）では、上位ランクに分類されている加熱手段１（１１２）により加熱される加熱ローラ１３１の温度が目標温度を下回っているため、加熱手段１（１１２）に電力供給する。しかし、加熱手段２（１１３）および加熱手段３（１１４）は下位ランクに分類されているため、供給制御部１０３ａは、加熱手段２（１１３）または加熱手段３（１１４）を選択して電力供給する。なお、温度検出制御タイミング（３）においては、加熱ローラ１３１の温度検出結果と目標温度との差分と、加圧ローラ１２５の温度検出結果と目標温度との差分と、が等しい。そのため、供給制御部１０３ａは、加熱手段２（１１３）の消灯期間と加熱手段３（１１４）の消灯期間とを比較し、消灯期間が長い加熱手段２（１１３）を選択して電力供給する。
【０１２３】
なお、本実施の形態では、同一制御周期で２つの加熱手段に電力供給することによるフリッカを抑制するために、供給制御部１０３ａは、一方の加熱手段１（１１２）への電力供給を開始（ソフトスタート開始）してから、１００ｍｓ後に他方の加熱手段２（１１３）への電力供給を開始させている。加熱手段の電力供給の開始の間隔は、１００ｍｓではなく、２００ｍｓ、５０ｍｓなどであってもよい、また、本実施の形態では、加熱手段１（１１２）から電力供給を開始したが、加熱手段２（１１３）から電力供給を開始してもよい。
【０１２４】
このように、上位ランクの加熱手段に電力供給されていない場合には、下位ランクの加熱手段を追加で電力供給させても、同一制御周期で同時に電力供給される加熱手段の数を最大２個に制限できるので、加熱手段の電力容量、消費電流によっては、フリッカを抑制することができる。なお、本変形例にかかる処理は、上位ランクに分類された加熱手段が１個以上ある場合である。
【０１２５】
また、本変形例にかかる処理は、４つの加熱手段がある場合も適用することができる。具体的には、ある動作モードで上位ランクの加熱手段が２個、下位ランクの加熱手段も２個分類されているとする。上位ランクの加熱手段２個がともに電力供給されていない場合または片方の１個に電力供給されている場合は、下位ランクに分類された２個の加熱手段に電力供給される。また、ある動作モードで上位ランクの加熱手段が１個、下位ランクの加熱手段が３個であり、上位ランクの加熱手段に電力供給されていない場合には、最大２個の下位ランクの加熱手段に対して同一制御周期において電力供給が可能である。
【０１２６】
図１７は、下位ランクに分類された加熱手段の中から電力供給する加熱手段を選択する処理手順を示すフローチャートである。
【０１２７】
図１７に示すステップＳ１００３以降の処理は、図１０に示す処理と同様であるため、説明を省略する。まず、供給制御部１０３ａは、上位ランクに分類された加熱手段１（１１２）に電力が供給されているか否かを判断する（ステップＳ１００１）。ここで、加熱手段１（１１２）に電力が供給されている場合（ステップＳ１００１：Ｙｅｓ）、ステップＳ１００３以降の処理に進む。
【０１２８】
一方、加熱手段１（１１２）に電力が供給されていない場合（ステップＳ１００１：Ｎｏ）、供給制御部１０３ａは、温度テーブルから、温度検出回路２（１２０）から取得した加熱ローラ１３１の温度検出結果と目標温度との差分および温度検出回路３（１２１）から取得した加圧ローラ１２５の温度検出結果と目標温度との差分それぞれと対応付けられた点灯Dutyを特定し、特定した各点灯Dutyに従って電力供給信号を電圧供給回路２（１１６）および電圧供給回路３（１１７）に出力する（ステップＳ１００２）。さらに、供給制御部１０３ａは、加熱手段２（１１３）および加熱手段３（１１４）の消灯時間カウンタのクリア、および加熱手段２（１１３）および加熱手段３（１１４）にセットされた電力供給判定フラグのクリアを実行する（ステップＳ１００２）。
【０１２９】
このように、本変形例よれば、上位ランクに分類された加熱手段への電力供給の有無に応じて、下位ランクに分類された加熱手段の中から複数の加熱手段を選択して電力供給することにより、電力供給する加熱手段を２つに制限することができるので、フリッカを抑制することができる。
【０１３０】
（第２の実施の形態）
上述の実施の形態では、加熱手段を３つ備えた定着装置について説明したが、加熱手段を３つ以上備えた定着装置に同様に本願発明を適用することが可能である。なお、第１の実施の形態と同様の構成および処理については、説明を省略する。
【０１３１】
図１８は、本実施の形態にかかる定着装置の構成例を示す説明図である。図１９は、本実施の形態にかかる定着装置を主とした制御系の構成を示すブロック図である。本実施の形態にかかる定着装置１２００は、図１８に示すように、加熱ローラ１３１を加熱する加熱手段４（１１０１）、および定着ローラ１２４の表面に当接され、定着ローラ１２４の表面温度を検出するサーミスタを含む温度検出回路４（１１０３）が追加された点において、図２に示す定着装置２２１と異なる。また、本実施の形態にかかる制御系１９００は、図１９に示すように、上述した加熱手段４（１１０１）および温度検出回路４（１１０３）に加えて、制御部１０３から出力された電力供給信号に従って加熱手段４（１１０１）に電力供給する電圧供給回路４（１１０２）が追加された点において、図３に示す制御系１００と異なる。なお、本実施の形態でも、上述の実施の形態と同様に、加熱手段にハロゲンヒータを用いた例を想定している。また、供給制御部１０３ａによる加熱手段の選択処理については、第１の実施の形態とほぼ同様であるため、ここでは説明を省略する。
【０１３２】
本実施の形態によれば、加熱手段を４つ備える場合であっても、上述の実施の形態と同様に、下位ランクに分類された加熱手段のうち、１つのみに電力供給することにより、加熱手段への電力供給による電源電圧の変動を低減できるので、フリッカを抑制することができる。
【０１３３】
（第３の実施の形態）
上述の実施の形態では、被加熱部材の加熱手段としてハロゲンヒータを用いた例について説明したが、他の加熱手段を用いて被加熱部材を加熱することも可能である。なお、第１〜２にかかる複合機２００と同様の構成および処理については、説明を省略する。
【０１３４】
図２０は、本実施の形態にかかる定着装置の構成例を示す説明図である。本実施の形態にかかる定着装置２０００は、加熱ローラ１３１の加熱手段１（１３０１）としてＩＨ定着方式のヒータを用い、かつ加圧ローラ１２５をハロゲンヒータである加熱手段２（１３０２）および加熱手段３（１３０３）により加熱する点で上述の実施の形態と異なる。なお、ＩＨ定着方式のヒータを用いた場合、当該ＩＴ定着方式のヒータは、動作モードに関わらず、常に、上位ランクの加熱手段に分類されるものとする。
【０１３５】
これにより、通電開始時などに電圧変動が大きくなるハロゲンヒータを下位ランクの加熱手段に分類できるため、ハロゲンヒータによる電圧変動を防止すると同時に、フリッカを抑制することができる。
【０１３６】
なお、上述の実施の形態の制御部１０３で実行されるプログラムは、ＲＯＭ等に予め組み込まれて提供されるが、上述の実施の形態の制御部１０３で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３７】
さらに、上述の実施の形態の制御部１０３で実行されるプログラムを、インターネット等のネットワークに接続されたコンピュータ上に格納し、ネットワーク経由でダウンロードさせることにより提供するように構成しても良い。また、上述の実施の形態の制御部１０３で実行されるプログラムをインターネット等のネットワーク経由で提供または配布するように構成しても良い。
【０１３８】
上述の実施の形態の制御部１０３で実行されるプログラムは、上述した供給制御部を含むモジュール構成となっており、実際のハードウェアとしてはＣＰＵ１２２（プロセッサ）が上記ＲＯＭからプログラムを読み出して実行することにより上記各部が主記憶装置上にロードされ、供給制御部が主記憶装置上に生成されるようになっている。
【０１３９】
なお、本発明は、上記実施の形態とそのままに限定されるものではなく、実施段階ではその要旨を逸脱しない範囲で構成要素を変形して具体化することができる。また、上記実施の形態に開示されている複数の構成要件の適宜な組合せにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１４０】
１０３ａ  供給制御部
１１２〜１１４，１１０１，１３０１〜１３０３  加熱手段１〜４
１１９〜１２１，１１０３  温度検出回路１〜４
２００  複合機
２２１，１２００，２０００  定着装置
【先行技術文献】
【特許文献】
【０１４１】
【特許文献１】特開２００３−２１７７９３号公報
【図１】
0005316024.tif 000002
【図２】
0005316024.tif 000003
【図３】
0005316024.tif 000004
【図４】
0005316024.tif 000005
【図５】
0005316024.tif 000006
【図６】
0005316024.tif 000007
【図７】
0005316024.tif 000008
【図８】
0005316024.tif 000009
【図９】
0005316024.tif 000010
【図１０】
0005316024.tif 000011
【図１１】
0005316024.tif 000012
【図１２】
0005316024.tif 000013
【図１３】
0005316024.tif 000014
【図１４】
0005316024.tif 000015
【図１５】
0005316024.tif 000016
【図１６】
0005316024.tif 000017
【図１７】
0005316024.tif 000018
【図１８】
0005316024.tif 000019
【図１９】
0005316024.tif 000020
【図２０】
0005316024.tif 000021